(57)【要約】【課題】写真撮影において使用時以外は邪魔になる三脚の有効活用と重く嵩張る交換レンズの収納及び持ち運び方法の改善を課題とする。【解決手段】交換レンズの収納ケースを三脚に取り付けることにより、三脚に交換レンズ収納ケースとしての役目をも与えることで、交換レンズ付きカメラは小物類と共に取り回しの良い小型のカメラバッグに収納するか、或いは三脚に取り付けたまま持ち運ぶことが出来る様にする。交換レンズ収納ケースは円筒形の縦型で、三脚のエレベーターを中心として上部から見た三脚の脚と脚の間の空間に吊り下げ三脚の本体部分とエレベーター部分を取り囲み包み込む形態として、１つ以上設ける。カメラを三脚に取り付けたまま持ち運ぶ場合に、レンズを下に向けた状態で使用できる交換レンズ収納ケースを１つ設けても良い。【選択図】                図１
2013088586.tif 000002
【特許請求の範囲】
【請求項１】
カメラ用三脚のエレベーターを中心として上部から見たカメラ用三脚の脚と脚の間の３つの空間、即ち、脚を束ねる部分であるカメラ用三脚の本体に取り付けられた脚を展開した場合にエレベーターを中心にＹ字型に１２０度間隔で展開する３つの脚により区切られた部分、つまり脚の展開に邪魔とならない３方向の扇状に広がる空間としての３つの空間の内、少なくとも１つの空間に、三脚の脚を束ねる部分であるカメラ用三脚の本体とカメラ用三脚の本体の下に位置するエレベーター若しくはエレベーター用ガイドパイプを交換レンズ収納ケース或いは交換レンズ収納ケースのエレベーターケースカバー部で取り囲み包み込むように設置することで、雲台とエレベーターが一体化された三脚に於いても使用できる、少なくとも一つの交換レンズを収納することができる交換レンズ収納ケースを少なくとも１つ設ける事により、カメラ用三脚に重しやカメラバッグや交換レンズケース等としての新たな機能を付加し、写真撮影においてカメラ用三脚使用撮影時以外は邪魔になるカメラ用三脚の有効活用として、重く嵩張るカメラ用交換レンズを撮影場所まで持ち運ぶ手段となす交換レンズ収納ケース。
【発明の詳細な説明】
【技術分野】
【０００１】
本発明は、三脚に取り付ける交換レンズケースに関するものである。
【背景技術】
【０００２】
従来、手持ち或いは背負い型等のカメラバッグに収納されるものの中で、カメラ本体以外では主として交換レンズが重量的にも容積的にも多くを占めている。その為にカメラの交換レンズは専用の交換レンズ収納ケースでも持ち運ばれる場合がある。       
而して、この重いカメラバッグを、一時的に三脚に取り付け三脚の安定用重しの代わりとする場合やカメラバッグ自体に四脚を設けて撮影に使用するもの等もあるが、三脚にカメラを取り付けたままでの移動を伴う撮影には不便である。
更に、カメラ用三脚は折り畳んでカメラバッグに取り付けて持ち運ぶか、単独で肩に担いで運ぶのが普通であり、三脚を必要とする撮影時以外は無用、寧ろ邪魔になっているのが現状である。
【先行技術文献】
【特許文献】
【０００３】
【特許文献１】特許４６０９９５７号
【発明の概要】
【発明が解決しようとする課題】
【０００４】
写真撮影において使用時以外は邪魔になる三脚の有効活用と重く嵩張る交換レンズの収納及び持ち運び方法の改善を課題とする。
【課題を解決するための手段】
【０００５】
図１に見るように、交換レンズの収納ケース２１やカメラに取り付けた交換レンズ部分を格納できる窪みを持つ交換レンズ収納ケース２３を三脚の脚９１と三脚の脚９１との間に取り付けることにより、三脚９０に交換レンズ収納ケースとしての役目をも与えることで、交換レンズ８０付きカメラ７０は小物類と共に取り回しの良い小型のカメラバッグに収納して持ち運ぶか、或いは三脚９０に取り付けたままでも交換レンズ収納ケース２１や２本分を一体化した交換レンズ収納ケース２２やカメラに取り付けた交換レンズ部分を格納できる窪みを持つ交換レンズ収納ケース２３に収納した交換レンズ８０や小物類で三脚９０の重心位置を下げることにより、肩に担いでの持ち運びを安定かつ安全なものにする。
【０００６】
先行特許文献１においてはやや複雑な構造であった為に、吊り下げ用天板を使わぬより単純化した構造のものであり、雲台とエレベーターが一体化された三脚に於いても使用できる交換レンズ収納ケース２１や２本分を一体化した交換レンズ収納ケース２２やカメラに取り付けた交換レンズ部分を格納できる窪みを持つ交換レンズ収納ケース２３を考案した。
【０００７】
この内、交換レンズ収納ケース２１や２本分を一体化した交換レンズ収納ケース２２は、その円筒部分２４の内面が円筒形の縦型であり、三脚９０を上から見て三脚９０のエレベーター９２を中心とする三脚の脚９１と三脚の脚９１との間に扇状に広がる３つの空間に吊り下げ三脚の本体部分９０ａとエレベーター９２部分を取り囲み包み込む形態として、１つ以上設けるものでありる。
【０００８】
更に、これ等の交換レンズ収納ケース２１や２本分を一体化した交換レンズ収納ケース２２やカメラに取り付けた交換レンズ部分を格納できる窪みを持つ交換レンズ収納ケース２３は三脚の本体部分９０ａの上部に位置する固定用ボルト部６１ａ或いは図１３に示す様な上部固定ベルト設置部６１ｂから交換レンズ収納ケース２１又は２本分を一体化した交換レンズ収納ケース２２の底部や下部固定ベルト設置部６１ｃに至るまでを一体成形するか、交換レンズ収納ケース２１又は２本分を一体化した交換レンズ収納ケース２２のエレベーターケースカバー部３３から円筒部分２４を分離して必要に応じて円筒部分２４を接着等で後付する事で作られる。
【発明の効果】
【０００９】
本発明によれば、三脚と嵩張る交換レンズを使用に便利な状態で一体として持ち運びでき、交換レンズの取り出しに不便な手持ちまたは背負い型の大型カメラバッグや交換レンズ専用バッグを三脚と別々に持ち運ぶ必要が無くなり、写真撮影活動に有用である。
【図面の簡単な説明】
【００１０】
【図１】全体斜視図
【図２】説明用斜視図
【図３】ガイドアーム付き三脚
【図４】窪み付きレンズケース
【図５】レンズケース平面図
【図６】窪み付きレンズケース平面図
【図７】レンズケース正面図
【図８】２連レンズケース部平面図
【図９】２連レンズケース部正面図
【図１０】単体レンズケース部平面図
【図１１】単体レンズケース部正面図
【図１２】単体＋２連二段型レンズケース部正面図
【図１３】上部固定用ベルト部正面図
【図１４】固定用ナットの平面と正面図
【図１５】衝撃吸収内袋とベルト付き底板
【発明を実施するための形態】
【００１１】
図２に見るように、交換レンズ収納ケース２１又は２本分を一体化した交換レンズ収納ケース２２やカメラに取り付けた交換レンズ部分を格納できる窪みを持つ交換レンズ収納ケース２３は固定用ボルト部６１ａ或いは上部固定ベルト設置部６１ｂから下部固定ベルト設置部６１ｃまでを一体とする。
【００１２】
この交換レンズ収納ケース２１を三脚９０に装着するにおいては、図４から図１５に見るように、１本ずつ単体の交換レンズ収納ケース２１を１つから３つ、或いは２本分を一体化した交換レンズ収納ケース２２を１つだけ、更には２本分を一体化した交換レンズ収納ケース２２を１つと１本で構成される交換レンズ収納ケース２１を１つの組み合わせて用いる。
【００１３】
交換レンズ収納ケース２１を１つずつのものを３つで全体を構成する場合は三脚の本体部分９０ａを取り囲み包み込むようにエレベーターを包み込む最上部の固定用ボルト部６１ａ或いは上部固定ベルト設置部６１ｂと最下部の下部固定ベルト設置部６１ｃにて図１３に示す固定用ベルト６１ｅや図１４に示す固定用ナット６１ｄで固定すると共に、３つのエレベーターケースカバー部３３相互間を図５や図６に矢印線で示した様に図２にも示した面ファスナー６１ｆ等で縦に繋ぐ事で補強する。
【００１４】
更に、交換レンズ収納ケース２１を１つずつ単体のもの１つと、２本分を一体化した交換レンズ収納ケース２２を１つ用いる場合は、図５や図６に見るようにエレベーターケースカバー部３３の固定はエレベーターケースカバー部ボルト穴６１ｇにボルトを通しナットで締めることで行う。
【００１５】
尚、この交換レンズ収納ケース２１や２本分を一体化した交換レンズ収納ケース２２の内側やカメラに取り付けた交換レンズ部分を格納できる窪みを持つ交換レンズ収納ケースの交換レンズ収納部２３ｂには収納する交換レンズの太さに合わせて、交換レンズを巻くように或いは囲う様に衝撃吸収材を挿入する。
【００１６】
更に、図１５に見るように、この交換レンズ収納ケース２１や２本分を一体化した交換レンズ収納ケース２２は滑りの良い引き出し用ベルト６１ｈにより一番底のセパレータ２１ａを引き上げる事で交換レンズをケースより引き出す構造で、交換レンズの長さによってはセパレータ２１ａを複数の交換レンズの間にも使用して区分けする事で複数の交換レンズ８０を交換レンズ収納ケース２１や２本分を一体化した交換レンズ収納ケース２２に収納できる様にする。
【００１７】
若しくは、図１２に見るように、交換レンズ収納ケース２１を上下二段以上に分割して、最上部を除く各段は円筒部分２４をエレベーターケースカバー部３３と分離し、エレベーターケースカバー部３３と分離した円筒部分２４の間の底部に回転接続部３４を設け分離した円筒部分２４を傾ける事で交換レンズを出し入れ出来る構造にしても良い。この場合、交換レンズ収納ケース２１が傾き過ぎないように保安ベルト３５を設け、円筒部分２４の固定収納時には面ファスナー６１ｆ等で固定する。
【００１８】
また、図１２に見るようにこれ等の交換レンズ収納ケース２１はエレベーターケースカバー部３３よりも長くても良く、各交換レンズ収納ケースのエレベーターケースカバー部３３の長さは三脚のエレベーター９２に三脚のエレベーター用ガイドパイプ９５や三脚の展開用ガイドアーム９６が付属する場合においては三脚の展開用ガイドアーム９６を折り畳んだ状態でも設置できる長さとする。
【００１９】
なお、カメラ７０を三脚９０に取り付けたまま持ち運ぶ場合に、安全と運搬上のバランスを考慮しカメラに取り付けられた交換レンズ８０を下に向けた状態とする為に、図１に見るように交換レンズ収納ケース２１１つをカメラに取り付けた交換レンズ部分を格納できる窪みを持つ交換レンズ収納ケース２３に取り換えて使用する。
【００２０】
そして、このカメラに取り付けた交換レンズ部分を格納できる窪みを持つ交換レンズ収納ケース２３は、下部に蓋２３ｅ付きの交換レンズ収納部２３ｂとその中にカメラに取り付けた交換レンズ部分を格納できる窪みを持つ交換レンズ収納ケースのレンズ固定用ベルト２３ｃを有し、上部の左右には蓋２３ｅ付きの小物入れ２３ｄを有する。
【００２１】
更に、図４に見るようにカメラに取り付けた交換レンズ部分を格納できる窪みをレンズ交換時に一時的レンズ置きとするための交換レンズ転落防止用ネット２３ｇを設けても良い。
【実施例１】
【００２２】
図１や図２や図６に見るように、交換レンズ収納ケース２１を２つ、或いは２本分を一体化した交換レンズ収納ケース２２を１つとカメラに取り付けた交換レンズ部分を格納できる窪みを持つ交換レンズ収納ケース２３とで全体を構成する場合で、重心配分的に最も安定した実施例である。
【実施例２】
【００２３】
図５や図７に見るように、交換レンズ収納ケース２１を１つ以上３つで、或いは交換レンズ収納ケース２１を１つと２本分を一体化した交換レンズ収納ケース２２を１つで構成する場合である。尚、交換レンズ収納ケース２１が１つ又は２つの場合は、円筒部分２４を接着していない交換レンズ収納ケース２１を一つ或いは二つを結合したものと共に、三脚の本体部分９０ａや三脚のエレベーター９２を取り囲み包み込むように様に設置する。
【実施例３】
【００２４】
カメラに取り付けた交換レンズ部分を格納できる窪みを持つ交換レンズ収納ケース２５部分のみを設ける場合である。この場合も円筒部分２４を接着していない交換レンズ収納ケース２１を２つ結合したものと共に、三脚の本体部分９０ａや三脚のエレベーター９２を取り囲み包み込むように様に設置する。
【産業上の利用可能性】
【００２５】
以上説明した様に、本発明はカメラ用三脚を有効活用して、交換レンズの収納及び持ち運び方法として有用である。
【符号の説明】
【００２６】
２１      交換レンズ収納ケース
２１ａ    セパレータ
２２      ２本分を一体化した交換レンズ収納ケース
２３      カメラに取り付けた交換レンズ部分を格納できる窪みを持つ交換レンズ収納ケース
２３ａ    カメラに取り付けた交換レンズ部分を格納できる窪み
２３ｂ    カメラに取り付けた交換レンズ部分を格納できる窪みを持つ交換レンズ収納ケースの交換レンズ収納部
２３ｃ    カメラに取り付けた交換レンズ部分を格納できる窪みを持つ交換レンズ収納ケースのレンズ固定用ベルト
２３ｄ    小物入れ
２３ｅ    カメラに取り付けた交換レンズ部分を格納できる窪みを持つ交換レンズ収納ケースの蓋
２３ｆ    カメラに取り付けた交換レンズ部分を格納できる窪みを持つ交換レンズ収納ケースの蓋の回転軸
２３ｇ    交換レンズ転落防止用ネット
２４      円筒部分
２４ａ    円筒部分の蓋
３３      エレベーターケースカバー部
３４      回転接続部
３５      保安ベルト
３６      エレベーター昇降ハンドル通し用の穴
５０      三脚を携帯する時に使用するベルト用金具
６１ａ    固定用ボルト部
６１ｂ    上部固定ベルト設置部
６１ｃ    下部固定ベルト設置部
６１ｄ    固定用ナット
６１ｅ    固定用ベルト
６１ｆ    面ファスナー
６１ｇ    エレベーターケースカバー部ボルト穴
６１ｈ    引き出し用ベルト
７０      カメラ
８０      交換レンズ
９０      三脚
９０ａ    三脚の本体部分
９１      三脚の脚
９２      三脚のエレベーター
９３      三脚の雲台
９５      三脚のエレベーター用ガイドパイプ
９６      三脚の展開用ガイドアーム
【図１】
2013088586.tif 000003
【図２】
2013088586.tif 000004
【図３】
2013088586.tif 000005
【図４】
2013088586.tif 000006
【図５】
2013088586.tif 000007
【図６】
2013088586.tif 000008
【図７】
2013088586.tif 000009
【図８】
2013088586.tif 000010
【図９】
2013088586.tif 000011
【図１０】
2013088586.tif 000012
【図１１】
2013088586.tif 000013
【図１２】
2013088586.tif 000014
【図１３】
2013088586.tif 000015
【図１４】
2013088586.tif 000016
【図１５】
2013088586.tif 000017
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
少なくとも１つの交換レンズを収納することができる交換レンズ収納部を少なくとも１つ設ける事により、カメラ用三脚に重しやカメラバッグや交換レンズケース等としての機能を付加し、写真撮影においてカメラ用三脚使用撮影時以外は邪魔になるカメラ用三脚の有効活用として、重く嵩張るカメラ用交換レンズを撮影場所まで持ち運ぶ手段となす交換レンズ収納ケースであり、かつ基本的には内面が交換レンズを納める為の１段以上の円筒形であり底と蓋を有する円筒縦型の交換レンズ収納ケース、又はこれの２本分を一体化した交換レンズ収納ケース、或いは下部に交換レンズ或いは小物を収納できる蓋付きの箱があり上部には雲台に取り付けたままのカメラのレンズを下に向けた状態でカメラのレンズ部分を格納できる窪みを持つ交換レンズ収納ケースに於いて、カメラ用三脚のエレベーターを中心として上部から見たカメラ用三脚の脚と脚の間の３つの空間、即ち、脚を束ねる部分であるカメラ用三脚の本体に取り付けられた脚を展開した場合にエレベーターを中心にＹ字型に１２０度間隔で展開する３つの脚により区切られた部分、つまり脚の展開に邪魔とならない３方向の扇状に広がる空間としての３つの空間の内、少なくとも１つの空間に設置出来る交換レンズ収納ケースであって、雲台下のエレベーター部分から三脚の脚を束ねる部分であるカメラ用三脚の本体とカメラ用三脚の本体の下に位置するエレベーター部分若しくは三脚の展開用ガイドアームの邪魔にならない範囲のエレベーター用ガイドパイプの上方部分までをエレベーター若しくはエレベーター用ガイドパイプの円周を取り巻く様にしてカメラ用三脚の本体に掛け吊す様に用いることで、雲台とエレベーターが一体化された三脚に於いても使用できる様にするもので、交換レンズ収納ケースが１本の場合でも他の交換レンズ収納ケースが設置されるべき位置に交換レンズ収納ケースから分離独立したエレベーターケースカバー部でエレベーター若しくはエレベーター用ガイドパイプを取り巻く様に設ける事で交換レンズ収納ケースを三脚に固定するものであり、その為に用いられるエレベーターケースカバー部は、上部には雲台下部のエレベーター部分に、取り付ける全てのエレベーターケースカバー部で取り巻いた時に、ねじ又はベルトで固定できる部分と、その下にカメラ用三脚の本体に吊し掛ける部分と、更にその下にカメラ用三脚の本体の下のエレベーター部分若しくは三脚の展開用ガイドアームの邪魔にならない範囲のエレベーター用ガイドパイプの上方部分までの大きさであり、その最下部には取り付ける全てのエレベーターケースカバー部で取り巻いた時にベルトで固定できる部分とで構成され、エレベーター側を内側とすると反対側の外側に交換レンズ収納部を接着等で取り付ける事により交換レンズ収納ケースとなる構造を有する交換レンズ収納ケース。